(57)【要約】【課題】  奥行きのある立体的な表示が可能な計器装置を提供するものである。【解決手段】  背面に意匠部６を備えた平板状導光体７と、この平板状導光体７の前面に設けられる透過照明部である目盛８と、平板状導光体７の背後に設けられる意匠板１０と、平板状導光体７に光を供給する光源１３とを備え、平板状導光体７の板面方向に対して垂直方向から光を照射するように光源１３を配置し、光源１３からの光を平板状導光体７内に取り込み意匠部６を照明するとともに目盛８を透過照明し、光源１３からの光を平板状導光体７にて反射させて意匠板１０を間接照明するものである。【選択図】  図２
2005037364.tif 000002
【特許請求の範囲】
【請求項１】
背面に意匠部を備えた平板状導光体と、この平板状導光体の前面に設けられる透過照明部と、前記平板状導光体の背後に設けられる意匠板と、前記平板状導光体に光を供給する光源とを備え、前記平板状導光体の板面方向に対して垂直方向から光を照射するように前記光源を配置し、前記光源からの光を前記平板状導光体内に取り込み前記意匠部を照明するとともに前記透過照明部を透過照明し、前記光源からの光を前記平板状導光体にて反射させて前記意匠板を間接照明することを特徴とする計器装置。
【請求項２】
前記平板状導光体の背面で前記透過照明部に対応する部分に反射層を設けたことを特徴とする請求項１に記載の計器装置。
【請求項３】
前記光源と前記平板状導光体との間に、前記光源の光を前記平板状導光体に導く導光部材を設けたことを特徴とする請求項１または２に記載の計器装置。
【請求項４】
背面に意匠部を備えた導光体と、この導光体の前面に設けられる透過照明部と、前記導光体の背後に設けられる意匠板と、前記導光体に光を供給する光源とを備え、前記光源からの光を前記導光体内に取り込み前記意匠部を照明するとともに前記透過照明部を透過照明し、前記光源からの光を用いて前記意匠板を間接照明することを特徴とする計器装置。
【請求項５】
前記意匠板は、前記光源からの漏光で間接照明することを特徴とする請求項４に記載の計器装置。
【請求項６】
前記導光体の背面に反射層を設け、前記光源の光を反射させて間接照明したことを特徴とする請求項４に記載の計器装置。
【請求項７】
前記光源と前記導光体との間に、前記光源の光を前記導光体に導く導光部材を設けたことを特徴とする請求項４乃至６に記載の計器装置。
【請求項８】
前記意匠部に前記指針の指示する文字、又は数字を、前記意匠板に前記文字、又は数字の単位を背景とともに表示形成してなることを特徴とする請求項４乃至７に記載の計器装置。
【請求項９】
前記導光体の断面形状が、前面側においては指針軸中心に凹形状をなし、且つ前記導光体の断面の背面形状が、前記前面側形状に平行に形成してなることを特徴とする請求項４乃至７に記載の計器装置。
【請求項１０】
前記光源は前記導光体に光を照射する第１の光源と、前記導光体の背後に設けられる意匠板を照明する第２の光源とが、各々専用に設けられるとともに前記第１の光源と、前記第２の光源とが同一の基板上に配置されていることを特徴とする請求項４乃至７に記載の計器装置。
【発明の詳細な説明】
【技術分野】
【０００１】
本発明は、例えば自動車に搭載される計器装置に関し、特に、その照明構造に特徴を有する計器装置に関する。
【背景技術】
【０００２】
従来の計器装置は、導光体の端面に冷陰極蛍光ランプを隣接するように設け、冷陰極蛍光ランプからの光は、端面から導光体内に導入されて、導光体上に積層配置された文字板を照明するものであった（例えば、特許文献１参照）。
【特許文献１】特開平８−１８９８４４号公報（図１）
【発明の開示】
【発明が解決しようとする課題】
【０００３】
しかし、従来の計器装置は、計器の表示が平面的で意匠的変化が乏しいという問題点があった。
【０００４】
そこで、本発明は、この点に鑑みてなされたもので、その主な目的は、奥行きのある立体的な表示が可能な計器装置を提供するものである。
【課題を解決するための手段】
【０００５】
本発明は前記目的を達成するため、背面に意匠部を備えた平板状導光体と、この平板状導光体の前面に設けられる透過照明部と、前記平板状導光体の背後に設けられる意匠板と、前記平板状導光体に光を供給する光源とを備え、前記平板状導光体の板面方向に対して垂直方向から光を照射するように前記光源を配置し、前記光源からの光を前記平板状導光体内に取り込み前記意匠部を照明するとともに前記透過照明部を透過照明し、前記光源からの光を前記平板状導光体にて反射させて前記意匠板を間接照明するものである。
【０００６】
又、前記平板状導光体の背面で前記透過照明部に対応する部分に反射層を設けたものである。
【０００７】
又、前記光源と前記平板状導光体との間に、前記光源の光を前記平板状導光体に導く導光部材を設けたものである。
【０００８】
又、背面に意匠部を備えた導光体と、この導光体の前面に設けられる透過照明部と、前記導光体の背後に設けられる意匠板と、前記導光体に光を供給する光源とを備え、前記光源からの光を前記導光体内に取り込み前記意匠部を照明するとともに前記透過照明部を透過照明し、前記光源からの光を用いて前記意匠板を間接照明するものである。
【０００９】
又、前記意匠板は、前記光源からの漏光で間接照明するものである。
【００１０】
又、前記導光体の背面に反射層を設け、前記光源の光を反射させて間接照明するものである。
【００１１】
又、前記光源と前記導光体との間に、前記光源の光を前記導光体に導く導光部材を設けたものである。
【００１２】
又、前記意匠部に前記指針の指示する文字、又は数字を、前記意匠板に前記文字、又は数字の単位を背景とともに表示形成してなるものである。
【００１３】
又、前記導光体の断面形状が、前面側においては指針軸中心に凹形状をなし、且つ前記導光体の断面の背面形状が、前記前面側形状に平行に形成してなるものである。
【００１４】
又、前記光源は前記導光体に光を照射する第１の光源と、前記導光体の背後に設けられる意匠板を照明する第２の光源とが、各々専用に設けられるとともに前記第１の光源と、前記第２の光源とが同一の基板上に配置されているものである。
【発明の効果】
【００１５】
以上、本発明によれば、初期の目的を達成することができ、奥行きのある立体的な表示が可能な計器装置を提供することができる。
【発明を実施するための最良の形態】
【００１６】
本発明の計器装置は、背面に意匠部６を備えた平板状導光体７と、この平板状導光体７の前面に設けられる透過照明部である目盛８と、平板状導光体７の背後に設けられる意匠板１０と、平板状導光体７に光を供給する光源１３とを備え、平板状導光体７の板面方向に対して垂直方向から光を照射するように光源１３を配置し、光源１３からの光を平板状導光体７内に取り込み意匠部６を照明するとともに目盛８を透過照明し、光源１３からの光を平板状導光体７にて反射させて意匠板１０を間接照明するものである。このように構成したことによって、奥行きのある立体的な表示が可能な計器装置を提供することができる。又、意匠板１０を背後から照明するための光源用のスペースが不要となり、平板状導光体７とその背後に設けられる意匠板１０との間隔が大きくとれ奥行き感がより一層際立ち立体感が増して商品性が向上する計器装置を提供することができる。又、意匠部６の照明、目盛８の透過照明、意匠板１０の間接照明とを同時に行うので、常に奥行き感のある見栄えが成り立ち商品性が向上した計器装置を提供することができる。
【００１７】
又、平板状導光体７の背面で目盛８に対応する部分に第１の反射層７ｂを設けたものである。このように構成したことによって、奥行きのある立体的な表示が可能な計器装置を提供することができる。
【００１８】
又、光源１３と平板状導光体７との間に、光源１３の光を平板状導光体７に導く導光部材１５を設けたものである。このように構成したことによって、奥行きのある立体的な表示が可能な計器装置を提供することができる。又、光源１３からの光を有効に平板状導光体７に導くことが可能な計器装置を提供することができる。
【００１９】
又、背面に意匠部６を備えた導光体７と、この導光体７の前面に設けられる透過照明部である目盛８と、導光体７の背後に設けられる意匠板１０と、導光体７に光を供給する光源１３とを備え、光源１３からの光を導光体７内に取り込み意匠部６を照明するとともに目盛８を透過照明し、光源１３からの光を用いて意匠板１０を間接照明するものである。このように構成したことによって、奥行きのある立体的な表示が可能な計器装置を提供することができる。又、意匠板１０を背後から照明するための光源用のスペースが不要となり、導光体７とその背後に設けられる意匠板１０との間隔が大きくとれ奥行き感がより一層際立ち立体感がまして商品性が向上する計器装置を提供することができる。又、意匠部６の照明、目盛８の透過照明、意匠板１０の間接照明とを同時に行うので、常に奥行き感のある見栄えが成り立ち商品性が向上した計器装置を提供することができる。
【００２０】
又、意匠板１０は、光源１３からの漏光で間接照明するものである。このように構成したことによって、奥行きのある立体的な表示が可能な計器装置を提供することができる。光源１３にて、意匠部６、目盛８及び意匠板１０を照明することができるので部品点数が少なくなり、コストを抑えた計器装置を提供することができる。
【００２１】
又、導光体７の背面に第２の反射層７ｃを設け、光源１３の光を反射させて間接照明するものである。このように構成したことによって、奥行きのある立体的な表示が可能な計器装置を提供することができる。光源１３にて、意匠部６、目盛８及び意匠板１０を照明することができるので部品点数が少なくなり、コストを抑えた計器装置を提供することができる。
【００２２】
又、光源１３と導光体７との間に、光源７の光を導光体７に導く導光部材１５を設けたものである。このように構成したことによって、奥行きのある立体的な表示が可能な計器装置を提供することができる。又、光源１３からの光を有効に導光体７に導くことが可能な計器装置を提供することができる。
【００２３】
又、意匠部６に指針２の指示する文字、又は数字を、意匠板１０に前記文字、又は数字の単位を背景とともに表示形成してなるものである。このように構成したことによって、奥行きのある立体的な表示が可能な計器装置を提供することができる。
【００２４】
又、導光体７２の断面形状が、前面側においては指針軸１８ａ中心に凹形状をなし、且つ導光体７２の断面の背面形状が、前記前面側形状に平行に形成してなるものである。このように構成したことによって、奥行きのある立体的な表示が可能な計器装置を提供することができる。又、導光体７２に映る反射像をぼかすことができるので、導光体７２に設けられる文字、数字などの意匠部６をはっきりと認識できるので商品性が向上する計器装置を提供することができる。又、凹形状で形成されているので、その表面に反射防止皮膜（ＡＲコート）や細かい凹凸によるアンチグレア処理といった加工を行う必要がないので、コストを抑えることが可能な計器装置を提供することができる。
【００２５】
又、光源は導光体７１に光を照射する第１の光源２７と、導光体７１の背後に設けられる意匠板２８を間接照明する第２の光源２９とが、各々専用に設けられるとともに第１の光源２７と、第２の光源２９とが同一の回路基板３０上に配置されているものである。このように構成したことによって、奥行きのある立体的な表示が可能な計器装置を提供することができる。又、同一の光源による照明に比べて各々調光しやすいので設計自由度が高まるとともに商品性が向上する計器装置を提供することができる。
【実施例１】
【００２６】
図１から図３は本発明の第１実施例を示すものである。
【００２７】
本実施例の計器装置１は、図１に示すように、車両に搭載したエンジンの回転数を表すエンジン回転計であり、指針２と文字板意匠部３と表示器４とを備えている。なお、５は見返しであり、文字板意匠部３と表示器４が露出する開口５ａを備えている。
【００２８】
指針２は後述する指針用光源によって発光するものであり、後述する計器本体によって、文字板３上を回転する。
【００２９】
文字板意匠部３は、背面に意匠部６である回転計の数字を備えた平板状導光体７と、この平板状導光体７の前面で見返し５の開口５ａに位置する透過照明部である目盛８を備えた表示部材９と、平板状導光体７の背後に離間して設けられる意匠板１０とで構成されている。なお、平板状導光体７と意匠板１０との間には空間が設けられている。平板状導光体７、表示部材９及び意匠板１０は、これらの背後に位置するフレーム１１によって固定されている。このフレーム１１の背後には、回路基板１２が設けられている。又、１３は平板状動光体７に光を供給する光源で、本実施例では、発光ダイオードであり、後述する計器本体の指針軸の周囲に複数個設けられ、平板状導光体７の板面方向に対して垂直方向に離れた位置に設けられている。又、１４ａ、１４ｂは、意匠板１０を固定する保持部材であり、それぞれ、意匠板１０の内側と外側を保持するものである。又、１５は、光源１３の光を平板状導光体７に導く導光部材であり、光源１３と平板状導光体７との間に設けられている。１６は、光源１３の光が直接運転者に視認されないように設けた遮光部材である。
【００３０】
回路基板１２には、表示器４と指針２を駆動する計器本体１８が取り付けられている。表示器４は、液晶表示素子１９と、この液晶表示素子１９を保持する液晶ホルダ２０と、液晶表示素子１９を背後から透過照明する液晶用光源２１とを備えている。なお、２２は、液晶表示素子１９と回路基板１２とを接続するフレキシブル配線板である。又、２３は、液晶表示素子１９の必要部分以外を覆い隠す枠体で、窓部２４から液晶表示素子１９が露出するものであり、前述した保持部材１４ａ、１４ｂと一体に形成されている。
【００３１】
計器本体１８は指針軸１８ａを備えており、この指針軸１８ａの先端には指針２が固定され、指針軸１８ａを介して指針２を回転駆動する。
【００３２】
なお、２５は指針用光源であり、光源１３や液晶用光源２１と同様に発光ダイオードである。
【００３３】
平板状導光体７の意匠部６は、指針２が指示する文字、又は数字から構成されている。又、平板状導光体７は扇形の透明な合成樹脂からなり、指針軸１８ａ側にすり鉢状の反射面７ａを備えている。この反射面７ａは、平板状導光体７の板面方向に対して垂直方向から来る光源１３の光を板面方向に変えるものである。又、この平板状導光体７の背面には、前述した意匠部６の他に、平板状導光体７の周囲部分で表示部材９に対応する部分に第１の反射層７ｂを備えている。又、指針２側で遮光部材１６に対応する部分に第２の反射層７ｃを備えている。
【００３４】
表示部材９は、透明な板状の合成樹脂からなり、その表面に目盛８を構成する部分を除いて遮光性のインクにて遮光層８ａが形成されている。なお、目盛８の部分は光透過性のインクにて透光層が形成されている。
【００３５】
意匠板１０は合成樹脂からなる板状体の表面（平板状導光体７に対向する面）側に、平板状導光体７の意匠部６に対応する単位１０ｂ（本実施例では、回転数を表す単位「ＲＰＭ）の意匠と、背景が形成されている。この背景は、着色インクなどで、意匠部６の地の部分となる着色層１０ａで形成されている。この背景は、青と黒の２色で形成されており、本実施例では、指針軸１８ａ側が暗い黄色で、周辺側に行くに従い徐々に黒色となり、周辺側では黒一色となるものである。
【００３６】
フレーム１１は、白色の合成樹脂からなり、光源１３と指針用光源２５との光が混ざらないように、遮光壁部１１ａを備えている。この遮光壁部１１ａはほぼ円筒形である。
【００３７】
光源１３は、遮光壁部１１ａに沿って複数個設けられており、導光部材１５は、光源１３に対応して、遮光壁部１１ａに沿って設けられている。
【００３８】
遮光部材１６は遮光性の合成樹脂からなり、その背後には、光源１３からの光を良好に反射するように、白色インクからなる反射部１６ａが形成されている。この反射部１６ａは光源１３からの光が、平板状導光体７の反射面７ａを透過した光などを反射し、もう一度平板状導光体７に光を戻すものである。
【００３９】
このように構成したことにより、光源１３から出た光は、導光部材１５を通って、平板状導光体７に入り反射面７ａにて反射される。この時、導光部材１５から漏れた光が、第２の反射層７ｃにて下方向に反射され、光が意匠板１０に照射されて、意匠板１０を間接照明する。そして、平板状導光体７内を通過する光によって意匠部６を照明する。又、平板状導光体７内を通った光が第１の反射層７ｂにて表示部材９方向に反射することによって、光源１３からの光が目盛８を直接透過して、目盛８が透過照明される。
【００４０】
以上のような照明構造によって、目盛９、意匠部６、意匠板１０という各部材がそれぞれ同一平面上ではなく、それぞれ異なる面で視認されるので、奥行き感のある立体的な表示が可能となる。又、意匠板１０を背後から照明するための光源用のスペースがいらず、平板状導光体７とその背後に設けられる意匠板１０との間隔が大きくとれて奥行き感がより一層際立ち立体感が増すので、商品性が向上する。又、透過照明と間接照明とを常時同時に行うので、常に奥行き感のある見栄えが成り立ち商品性が向上する。
【００４１】
又、光源１３で、意匠部６の照明と、意匠板１０の間接照明と、目盛８の透過照明とを行うので、部品点数を削減でき、コストを抑えることができる。
【００４２】
なお、本発明は前記実施例に限定されるものではなく、表示部材９を見返し５に一体に形成し、透過照明部である目盛８を貫通孔としてもよい。
【００４３】
又、導光部材１５は、光源１３の明るさが必要な場合は、光源１３の光を有効に活用するために必要であるが、光源１３が十分な明るさを備えている場合は、導光部材１５を設けなくとも良い。
【００４４】
次に、図４を用いて本実施例の変形例を説明する。なお、前記実施例と同一及び相当箇所には同一符号を付して、その詳細な説明は省略する。
【００４５】
第１実施例では、平板状導光体７と導光部材１５とを別々に設けたが、この変形例では、第１実施例の導光部材１５に相当する導光部７ｄを平板状導光体７に一体に形成したものである。なお、この平板状導光体７の導光部７ｄからの光を、平板状導光体７の板面方向に反射する反射部７ａには、光を良好に反射するために、反射層７ｄを備えている。このように構成したことにより、部品点数を削減することができる。又、反射層７ｄを設けたことにより、反射を良好に行うことができる。
【００４６】
次に、図５を用いて本発明の第２実施例を説明する。なお、前記実施例と同一及び相当箇所には同一符号を付して、その詳細な説明は省略する。
【００４７】
本実施例は、平板状導光体７１を照明する第１の光源２７と、意匠板２８を照明する第２の光源２９とを設けたものである。第１の光源２７と第２の光源２９とは、第２の回路基板３０に固定されている。
【００４８】
平板状導光体７１は、指針軸１８ａ側に第１の光源２７からの光を受ける受光部７１ａを備えている。又、本実施例の平板状導光体７１は、第１実施例の平板状導光体７の反射面７ａ、第２の反射層７ｃ以外は、第１実施例の平板状導光体７とほぼ同等である。
【００４９】
第１の光源２７は表面実装型の発光ダイオードであり、複数個設けられている。平板状導光体７１に形成した意匠部を照明し、表示部材８に設けた目盛８を透過照明するものである。
【００５０】
意匠板２８は、指針軸１８ａ側にすり鉢形状部２８ａを備え、その周囲に鍔部２８ｂを備えている。すり鉢形状部２８ａは、平板状導光体７１の背後に離間して設けられており、平板状導光体７１と意匠板２８との間には、空間が形成されている。そして、すり鉢形状部２８ａは、指針軸１８ａ側から周囲に行くに従って徐々に平板状導光体７１側に近づいていき、鍔部２８ｂで平板状導光体７１と接している。又、意匠板２８の表面（平板状導光体７に対向する面）側には、第１実施例の意匠板１０と同様な平板状導光体７１の意匠部６に対応する単位と背景が形成されている。
【００５１】
第２の光源２９も第１の光源２７と同じく表面実装型の発光ダイオードであり、複数個設けられている。この第２の光源２９は、意匠板２８に光をあてて間接照明するものである。
【００５２】
第２の回路基板３０はガラスエポキシ樹脂などからなる硬質の回路基板であり、指針軸１８ａや遮光壁部１１ａの周囲を囲むようＣの字形状であり、フレーム１１に固定されている。
【００５３】
このように構成したことにより、第１の光源２７から出た光は、平板状導光体７１に入り、平板状導光体７１内を通過する光によって意匠部６を照明する。又、平板状導光体７１内を通った光が第１の反射層７ｂにて表示部材９方向に反射することによって、第１の光源２７からの光が目盛８を直接透過して、目盛８が透過照明される。又、第２の光源２９から出た光は、意匠板２８に照射されて、意匠板２８を間接照明する。
【００５４】
以上のような照明構造によって、目盛８、意匠部６、意匠板２８という各部材がそれぞれ同一平面上ではなく、それぞれ異なる面で視認されるので、奥行き感のある立体的な表示が可能となる。又、意匠板２８を背後から照明するための光源用のスペースがいらず、平板状導光体７１とその背後に設けられる意匠板２８との間隔が大きくとれて奥行き感がより一層際立ち立体感が増すので、商品性が向上する。又、目盛８、意匠部６、意匠板２８の照明を常時同時に行うので、常に奥行き感のある見栄えが成り立ち商品性が向上する。
【００５５】
又、第１の光源２７で、意匠部６の照明と、目盛８の透過照明とを行うので、部品点数を削減でき、コストを抑えることができる。
【００５６】
又、平板状導光体７１を介して意匠部６及び透過照明部である目盛８を照明する第１の光源２７と、意匠板２８を照明する第２の光源２９とを各々専用に同一の第２の回路基板３０上に配置しているので、同一の光源による照明に比べて各々調光しやすいので設計自由度が高まるとともに商品性を向上させることができる。
【００５７】
次に、図６を用いて本発明の第３実施例を説明する。なお、前記各実施例と同一及び相当箇所には同一符号を付して、その詳細な説明は省略する。
【００５８】
第２実施例では、意匠板２８を照明する第２の光源２９を第２の回路基板３０に設けてあったが、本実施例においては、第２の光源３１を回路基板１２上に設けてある。又、第２の光源３１の光で意匠板２８照明するために、導光部材３２を備えている。この導光部材３２は透明な合成樹脂からなり、指針軸１８ａや遮光壁部１１ａの周囲を囲むＣの字形状の筒体であり、その上端には、第２の光源３１の光を意匠板２８に反射する反射面３２ａを備えている。なお、この反射面３２ａに反射層を設けてもよい。
【００５９】
このように構成したことにより、第１の光源２７から出た光は、平板状導光体７１に入り、平板状導光体７１内を通過する光によって意匠部を照明する。又、平板状導光体７１内を通った光が第１の反射層７ｂにて表示部材９方向に反射することによって、第１の光源２７からの光が目盛８を直接透過して、目盛８が透過照明される。又、第２の光源３１から出た光は、導光部材３２に入り、反射面３２ａで意匠板２８側に反射されて、意匠板２８に照射されて、意匠板２８を間接照明する。
【００６０】
以上のような照明構造によって、目盛８、意匠部６、意匠板２８という各部材がそれぞれ同一平面上ではなく、それぞれ異なる面で視認されるので、奥行き感のある立体的な表示が可能となる。又、意匠板２８を背後から照明するための光源用のスペースがいらず、平板状導光体７１とその背後に設けられる意匠板２８との間隔が大きくとれて奥行き感がより一層際立ち立体感が増すので、商品性が向上する。又、目盛８、意匠部６、意匠板２８の照明を常時同時に行うので、常に奥行き感のある見栄えが成り立ち商品性が向上する。
【００６１】
又、平板状導光体７１を介して意匠部６及び透過照明部である目盛８を照明する第１の光源２７と、意匠板２８を照明する第２の光源３１とを備えているので、同一の光源による照明に比べて各々調光しやすいので設計自由度が高まるとともに商品性を向上させることができる。
【００６２】
次に、図７を用いて本発明の第４実施例を説明する。なお、前記各実施例と同一及び相当箇所には同一符号を付して、その詳細な説明は省略する。
【００６３】
前記各実施例においては、導光体７，７１は平らな板状体であったが、本実施例においては、導光体７２は、指針軸１８ａ側が低く周囲に向かうに従って高くなるすり鉢形状の凹面である。具体的には、正面から見ると、指針軸１８ａを中心として扇形であり、その断面形状は、前面側においては指針軸１８ａを中心に凹形状をなし、且つ導光体７２の断面の背面形状が、前面側形状に平行に形成してある。なお、導光体７２の背面には、図示していないが、回転計の数字や文字などの意匠部６を備えている。
【００６４】
又、この導光体７２の周囲には、光源３４が複数個設けられている。この光源３４は、表面実装型の発光ダイオードであり、回路基板３５に固定されている。この回路基板３５は、導光体７２の周囲を囲むようなＣの字形状である。
【００６５】
このように構成したことにより、光源３４から出た光は、導光体７２に入り、導光体７２内を通過する光によって意匠部６を照明する。又、導光体７２内を通った光が第１の反射層７ｂにて表示部材９方向に反射することによって、光源３４からの光が目盛８を直接透過して、目盛８が透過照明される。又、導光体７２から漏れた光が意匠板１０に照射されて、意匠板１０を間接照明する。
【００６６】
以上のような照明構造によって、目盛９、意匠部６、意匠板１０という各部材がそれぞれ同一平面上ではなく、それぞれ異なる面で視認されるので、奥行き感のある立体的な表示が可能となる。又、意匠板１０を背後から照明するための光源用のスペースがいらず、導光体７２とその背後に設けられる意匠板１０との間隔が大きくとれて奥行き感がより一層際立ち立体感が増すので、商品性が向上する。又、透過照明と間接照明とを常時同時に行うので、常に奥行き感のある見栄えが成り立ち商品性が向上する。
【００６７】
又、光源３４で、意匠部６と、意匠板１０と、目盛８との照明を行うので、部品点数を削減でき、コストを抑えることができる。
【００６８】
又、導光体７２の断面形状が前面側においては凹形状となり、且つ背面側形状がその前面側と平行に形成されているので、導光体７２に映る反射像（例えば、運転者の顔など）をぼかすことができるので意匠部６などに設けられる文字、数字をはっきりと認識できるので商品性が向上する計器装置を提供することができる。又、凹形状で形成されているので、その表面に反射防止皮膜（ＡＲコート）や細かい凹凸によるアンチグレア処理といった加工を行う必要がないので、コストを抑えることが可能な計器装置を提供することができる。
【００６９】
なお、前記第１から第３実施例においては、平板状導光体７，７１は平らな板状体であったが、前記第１から第３実施例の導光体７，７１の断面形状を前面側においては凹形状とし、且つ背面側形状もその前面側と平行に形成してもよい。このように構成することによって、第４実施例と同様の作用効果を得ることができる。
【図面の簡単な説明】
【００７０】
【図１】本発明の第１実施例の計器装置の正面図。
【図２】図１中Ａ−Ａ線の断面図。
【図３】図２の一部拡大断面図。
【図４】同実施例の計器装置の変形例の一部拡大断面図。
【図５】同発明の第２実施例の計器装置の断面図。
【図６】同発明の第３実施例の計器装置の断面図。
【図７】同発明の第４実施例の計器装置の断面図。
【符号の説明】
【００７１】
１      計器装置
２      指針
３      文字板意匠部
４      表示器
６      意匠部
７，７１  平板状導光体
７ａ    反射面
７ｂ    第１の反射層
７ｃ    第２の反射層
８      目盛（透過照明部）
９      表示部材
１０      意匠板
１３      光源（発光ダイオード）
１５      導光部材
１８      計器本体
１８ａ    指針軸
２７      第１の光源
２８      意匠板
２９      第２の光源
３０      第２の回路基板
７１ａ    受光部
７２      導光体
【図１】
2005037364.tif 000003
【図２】
2005037364.tif 000004
【図３】
2005037364.tif 000005
【図４】
2005037364.tif 000006
【図５】
2005037364.tif 000007
【図６】
2005037364.tif 000008
【図７】
2005037364.tif 000009